(57)【要約】【課題】  二種の異なる金属を所定の距離をおいて体に接して取り付けることによって、異なる金属間の電位差によって冷え症や肩凝り、頭痛等の予防や治療を日常的に行なう電位差式可療具を提供する。【解決手段】  所定の間隔をおいてアルミ製のパイプ２複数個を通設した一本の細紐１の両端を、連結具３を介して連結することによってエンドレスに構成したネックレスＡと、これとは別に設けた、接着面ａの中心部に所定の大きさの銅板４を取り付けた円形状のシールＢを一組としたことを特徴とする。【選択図】    図５
2007000583.tif 000002
【特許請求の範囲】
【請求項１】
所定の間隔をおいてアルミ製のパイプ複数個を通設した一本の細紐の両端を、連結具を介して連結することによってエンドレスに構成したネックレスと、これとは別に設けた接着面の中心部に所定の大きさの銅板を取り付けた円形状のシールを一組としたことを特徴とする電位差式加療具。
【請求項２】
複数個のアルミ製パイプを間隔をおかずに連続して一本の細紐に通設したことを特徴とする請求項１記載の電位差式加療具。
【発明の詳細な説明】
【技術分野】
【０００１】  本発明は異なる金属による電位差を利用して体の疲労や肩凝り、筋肉痛、冷え症、便秘、腹痛等の解消に役立つ加療具に関するもので、詳しくは一本の紐に所定間隔をおいて複数個のアルミ製のパイプを通設してネックレスを構成し、これとは別に設けた、接着面の中心部に所定の大きさの銅板を設けた円形状のシールを一組とした電位差式加療具に関するものである。
【背景技術】
【０００２】  従来、体の疲労や肩凝り、筋肉痛、冷え症、便秘、腹痛等を解消するための手段として貼り薬、飲み薬、マッサージ等が広く知られている。
又、電動式で機械的にマッサ−ジや指圧を行なう器具や電圧を利用して前記症状を解消する方法も行なわれている。
【特許文献】特開２０００−０３７４３７号公報
電位差を利用したものとして次のようなものがある。  平成１６年４月９日提出の特許願『疲労回復用具』
【発明の開示】
【発明が解決しようとする課題】
【０００３】  しかし、貼り薬や飲み薬、マッサージ等は症状が発生してから対応するものであって貼り薬、マッサーッジは他人の手を借りなければならない場合があった。
近年、提供されている薬剤は種類が多いので誤って服用すると薬害の恐れがあり、専門の医師又は薬剤師の判断を仰がなければならなかった。
又、指圧器具やマッサージ器機は高価であるばかりでなく専門の治療師に頼らなければならなかった。
本発明は異なる二種の金属を所定の距離をおいて体に接して取り付けることにより、異る金属間の電位差によって冷え症や肩凝り、頭痛等の予防や治療を日常的に行なう電位差式加療具を提供することを目的とする。
【課題を解決するための手段】
【０００４】  上記目的を達成するため本発明は、所定の間隔をおいてアルミ製のパイプ２を複数個通設した一本の細紐１の両端を連結具３を介して連結することによってエンドレスに構成したネックレスＡと、これとは別に設けた接着面ａの中心部に所定の大きさの銅板４を取り付けた円形状のシールＢを一組としたものである。
【発明の効果】
【０００５】  上記のように構成された本発明を実際に使用した場合には次のような効果がある。
ａ．アルミ製のパイプ複数個を通設したネックレスを首に掛け、肩凝りや腰痛、関節痛、神経痛等の患部に、銅板を中心部に取り付けたシールを貼付することによってアルミ製のパイプと銅板の間に電位差が生じ、この電位差によって前記疾患が徐々に解消される。
ｂ．頭痛、腹痛等の場合でも痛みを感じる部分に銅板付きシールを必要複数枚貼付することによって痛みは徐々に取り除かれる。
ｃ．睡眠中着用していても支障はなく、前記症状は勿論、冷え症等がなくなって快眠が得られる。
ｄ．本発明は製造するに当たって特に高価な材料を必要とするものではなく、又高度の技術を必要とするものではないので安価に提供できる。
ｅ．電位差を利用しているので体に痛みを感じることは全くなく、不快音や不快臭を発生することもないので安心して使用できる。
ｆ．ネックレスに優れた意匠を施すことによって価値の高い装身具となる。
ｇ．発生する前に予めネックレスを掛け、シールを貼っておくことによって症状を未然に防ぐことができる。
【発明を実施するための最良の形態】
【０００６】  以下、本発明の実施の形態を図面に基づいて説明する。
図１は本発明のネックレスの側面図、図２は図１におけるＩＩ−ＩＩ断面図、図３はシールの斜視図、図４は図３におけるＩＶ−ＩＶ断面図で、図中の符号Ａはネックレスを、Ｂはシールを示す。【０００７】  １は紐で、特定の材質のものではないがネックレスとして使用するにふさわしい長さで感触の柔らかい材質のものが望ましい。【０００８】  ２は紐１に適当な間隔をおいて複数個挿着されたアルミ製のパイプで、パイプ２は特定の太さや長さのものではないが、ネックレスとして使用するので、装身具にふさわしい形状、模様、色彩のものが望ましい。
アルミ製のパイプ２は所定の間隔を開けずに複数個を連続して挿着した場合でも効果は変わらない。【０００９】  ３、３ａは前記紐の両端を連結するために連結具であって両者を連結することによって環状のネックレスＡが形成される。
連結具３，３ａは特定の機能をもったものではなく、手軽に着脱でき、確実に連結される機構で、ネックレスとしての美観を損なわないものが適切である。【００１０】  ４はシールＢの接着面ａの略中心部にシールと一体に取り付けられた銅板で、シールＢを体の患部に貼る場合、接着面ａを皮膚に押し当てるようにして貼ることによって銅板４は患部の皮膚に密着する。
シールＢは図６に示したように、大形の剥離紙の剥離面に接着面ａを下にして貼着した状態にしておくと、必要なときにいつでも剥がして利用できるので便利である。【００１１】  上記のように構成された本発明を実際に使用する場合は次のようになる。
例えば、両膝に痛みを感じたとき、図５に示したように、先ずアルミ製のパイプを複数個を通設したネックレスを首に掛け、この状態で銅板を中心部に取り付けたシールの接着面を、痛みを感じた患部に貼り付ける。
このようにシールを貼るとネックレスのアルミ製のパイプと銅板の間に生じる電位差による電流によって膝の痛みは徐々に解消される。
従って、ネックレスを掛けた状態で体の各処に起こる疾患部分に銅板付きのシールを貼るだけで痛みから開放される。
【図面の簡単な説明】
【００１２】
【図１】  本発明のネックレスの側面図
【図２】  図１におけるＩＩ−ＩＩ断面図
【図３】  本発明のシールの斜視図
【図４】  図３におけるＩＶ−ＩＶ断面図
【図５】  本発明の使状態を示した図
【図６】  複数のシールを一枚の剥離紙に貼付した状態を示した図
【符号の説明】
【００１３】      １  紐
２  アルミ製のパイプ
３  連結具
４  銅板
Ａ  ネックレス
Ｂ  シール
ａ  接着面
ｂ  シールの表面
【図１】
2007000583.tif 000003
【図２】
2007000583.tif 000004
【図３】
2007000583.tif 000005
【図４】
2007000583.tif 000006
【図５】
2007000583.tif 000007
【手続補正書】
【提出日】平成17年8月24日(2005.8.24)
【手続補正１】
【補正対象書類名】明細書
【補正対象項目名】００１２
【補正方法】変更
【補正の内容】
【００１２】
【図１】  本発明のネックレスの側面図
【図２】  図１におけるＩＩ−ＩＩ断面図
【図３】  本発明にシールの斜視図
【図４】  図３におけるＩＶ−ＩＶ断面図
【図５】  本発明の使用状態を示した図